(57)【要約】  空調機器（２）は、空調機器（２）内のドレンパンを撮像するカメラを備える。空調管理装置（３）は、空調機器（２）が撮像したドレンパンの画像を示す撮像画像情報を空調機器（２）から取得する。空調管理装置（３）は、撮像画像情報と、基準となるドレンパンの撮像画像を示す基準画像情報とを比較して、汚れ度を算出する。空調管理装置（３）は、撮像画像情報、汚れ度を示す情報など、ドレンパンの監視に有用な情報を監視端末（４）に送信する。
2019097613.tif 000002
【特許請求の範囲】
【請求項１】
空調機器と、空調管理装置と、を備える空調管理システムであって、
前記空調機器は、ドレンパンを撮像する撮像手段を備え、
前記空調管理装置は、前記撮像手段により撮像された画像を示す撮像画像情報を通信により前記空調機器から取得する画像取得手段と、前記撮像画像情報に基づく汚れ情報を出力する汚れ情報出力手段と、を備える、
空調管理システム。
【請求項２】
前記空調管理装置は、基準となる前記ドレンパンの画像を示す基準画像情報を記憶する記憶手段をさらに備え、
前記汚れ情報出力手段は、前記撮像画像情報と前記基準画像情報との比較結果に基づいて前記汚れ情報を出力する、
請求項１に記載の空調管理システム。
【請求項３】
前記汚れ情報出力手段は、前記撮像画像情報を前記汚れ情報として出力する、
請求項１に記載の空調管理システム。
【請求項４】
前記空調機器と同一の環境下で動作する第２空調機器をさらに備え、
前記汚れ情報出力手段は、前記空調機器から取得した撮像画像情報に基づく汚れ情報を前記第２空調機器の汚れ情報として出力する、
請求項１から３のいずれか１項に記載の空調管理システム。
【請求項５】
ドレンパンを撮像する撮像手段と、
前記撮像手段により撮像された画像を示す情報を出力する画像出力手段と、
を備える空調機器。
【請求項６】
ドレンパンを撮像する撮像手段と、
前記撮像手段により撮像された画像に基づく汚れ情報を出力する汚れ情報出力手段と、
を備える空調機器。
【請求項７】
空調機器内のドレンパンを撮像した画像を示す撮像画像情報を取得する画像取得手段と、
前記撮像画像情報に基づく汚れ情報を出力する汚れ情報出力手段と、
を備える空調管理装置。
【請求項８】
空調機器内のドレンパンを撮像する撮像ステップと、
前記撮像ステップで撮像された画像に基づく汚れ情報を出力する汚れ情報出力ステップと、
を備える空調管理方法。
【請求項９】
コンピュータを、
ドレンパンを撮像する撮像手段、
前記撮像手段により撮像された画像に基づく汚れ情報を出力する汚れ情報出力手段、
として機能させるプログラム。
【請求項１０】
コンピュータを、
空調機器が備えるドレンパンを撮像した画像を示す撮像画像情報を取得する画像取得手段、
前記撮像画像情報に基づく汚れ情報を出力する汚れ情報出力手段、
として機能させるプログラム。
【発明の詳細な説明】
【技術分野】
【０００１】
本発明は、空調管理システム、空調機器、空調管理装置、空調管理方法及びプログラムに関する。
【背景技術】
【０００２】
空調機器が冷房運転あるいは除湿運転を行うと、空調機器の内部が結露することがある。空調機器には、内部の結露により生じた水を受けて外部に排水するためのドレンパンが備えられている。【０００３】
ドレンパンには水分が残るため、カビ、スライムなどによる汚れがドレンパン内に生じる。汚れを放置すると、空調機器が排出する空気に悪臭が含まれる、汚れが排水ホースに詰まり空調機器から水が漏れる、などの問題が生じる。このため、多数の人が利用する、オフィスビル、学校などの大規模な建屋内の空調機器については、ドレンパンの定期的な点検を法令により定めている国もある。例えば、日本国では、法令により、特定の建屋内の空調機器については、月に１度ドレンパンの点検を行うことが定められている。そして、必要に応じてドレンパンの清掃を行うことが定められている。【０００４】
ドレンパンを点検、清掃するには、作業員が空調機器を分解してドレンパンを取り外す必要がある。大規模な建屋内には多数の空調機器があるため、ドレンパンの点検には多大なコストが生じる。また、近年の空調機器では、ドレンパンにカビを抑制する素材が使用されているので、ドレンパンの清掃時から１ヶ月程度の経過では再度の清掃が必要とはならないことが多い。この場合、ドレンパンを空調機器から取り外して点検しても、清掃することなく空調機器にドレンパンを戻すこととなり、無駄なコストが生じる。【０００５】
また、家庭用の空調機器については、法令による定めはないものの、ドレンパン内の汚れを放置すると、上述のとおり悪臭、水漏れなどの問題が生じる。したがって、家庭用の空調機器においても、定期的にドレンパンを点検し、必要に応じて清掃業者にドレンパンの清掃を依頼することが望ましい。しかし、ユーザ自身が空調機器を分解してドレンパンを点検することは困難である。そのため、ユーザは、適切なタイミングで清掃業者に清掃の依頼をすることができない。【０００６】
以上の事情により、空調機器の点検を支援する技術が求められている。【０００７】
特許文献１には、ドレンパン内の水を排水するドレンポンプを駆動するドレンモータから検出した負荷に応じて、ドレンパンの清掃が必要かを判定する空気調和機が開示されている。
【先行技術文献】
【特許文献】
【０００８】
【特許文献１】特開２００５−２８３０５７号公報
【発明の概要】
【発明が解決しようとする課題】
【０００９】
しかしながら、特許文献１に記載の空気調和機は、排水時の負荷に基づいてドレンパンの清掃の必要性を判断するので、ドレンパン内のカビ、スライムなどによる汚れの発生状況を正しく推測することが難しいという問題がある。【００１０】
上記の事情に鑑み、本発明の目的は、空調機器の点検を支援することが可能な空調管理システム、空調機器、空調管理装置、空調管理方法及びプログラムを提供することにある。
【課題を解決するための手段】
【００１１】
上記の目的を達成するため、本発明に係る空調管理システムは、空調機器と、空調管理装置と、を備える空調管理システムであって、空調機器は、ドレンパンを撮像する撮像手段を備え、空調管理装置は、撮像手段により撮像された画像を示す撮像画像情報を通信により空調機器から取得する画像取得手段と、撮像画像情報に基づく汚れ情報を出力する汚れ情報出力手段と、を備える。
【発明の効果】
【００１２】
本発明によれば、空調機器に撮像手段を設けてドレンパンを撮像することにより、空調機器の点検を支援することができる。
【図面の簡単な説明】
【００１３】
【図１】本発明の実施の形態１に係る空調管理システムのブロック図
【図２】本発明の実施の形態１に係る建屋の部屋構成の一例を示す図
【図３】本発明の実施の形態１に係る空調機器のブロック図
【図４】本発明の実施の形態１に係る空調機器、空調管理装置及び監視端末の制御部のハードウェア構成を示すブロック図
【図５】本発明の実施の形態１に係る空調機器が備えるカメラの一例を示す図
【図６】汚れが付着していないドレンパンの撮像画像の一例を示す図
【図７】汚れが多く付着しているドレンパンの撮像画像の一例を示す図
【図８】本発明の実施の形態１に係る空調管理装置のブロック図
【図９】本発明の実施の形態１に係る運転状態データの一例を示す図
【図１０】本発明の実施の形態１に係る運転時間データの一例を示す図
【図１１】本発明の実施の形態１に係る構成データの一例を示す図
【図１２】本発明の実施の形態１に係るドレンパンデータの一例を示す図
【図１３】本発明の実施の形態１に係るスケジュールデータの一例を示す図
【図１４】本発明の実施の形態１に係る監視端末のブロック図
【図１５】本発明の実施の形態１に係る空調管理システムにおける、ドレンパンの撮像から汚れ度の送信までの流れを示すシーケンス図
【図１６】本発明の実施の形態１に係る監視端末に表示される画面の一例を示す図
【図１７】本発明の実施の形態１に係る監視端末に表示される画像確認画面の一例を示す図
【図１８】本発明の実施の形態１に係る監視端末に表示される間取り図の一例を示す図
【図１９】本発明の実施の形態２に係る空調管理システムのブロック図
【図２０】本発明の実施の形態３に係る空調管理システムのブロック図
【図２１】本発明の実施の形態３に係る監視端末に表示される画面の一例を示す図
【図２２】本発明の実施の形態４に係る空調機器のブロック図
【図２３】本発明の変形例に係る監視端末に表示される汚れ度修正画面の一例を示す図
【発明を実施するための形態】
【００１４】
以下、図面を参照しながら、本発明の実施の形態に係る空調管理システムについて説明する。各図面においては、同一又は同等の部分に同一の符号を付す。
【００１５】
（実施の形態１）
実施の形態１に係る空調管理システム１は、建屋内に設置された複数の空調機器２内のドレンパンを一括して監視するシステムである。空調機器２内のドレンパンを一括して監視することにより、ドレンパンの点検を支援することができる。
【００１６】
図１を参照しながら、空調管理システム１の構成を説明する。空調管理システム１は、複数の空調機器２と、空調管理装置３と、監視端末４と、を備える。複数の空調機器２は、空調機器群７を構成する。なお、空調機器２は１つでもよい。
【００１７】
以下、実施の形態１の説明においては、建屋内の部屋構成が図２に示すものであるとする。１階には営業部の居室及び開発部の居室があり、２階にはサーバルーム及び倉庫がある。営業部の居室、開発部の居室及びサーバルームには、天井埋め込み形の空調機器２ａ、２ｂ及び２ｃが設置されている。倉庫には壁掛け形の空調機器２ｄが設置されている。空調機器２ａ、２ｂ、２ｃ、及び２ｄには、アドレスとして２ａ、２ｂ、２ｃ及び２ｄが設定されている。アドレスとは、第１通信線５上において空調機器２を特定するための機器アドレスである。
【００１８】
再び図１を参照する。空調機器２は、設置された空間の空調を行う機器であり、例えば室内機である。空調機器２は、第１通信線５を介して空調管理装置３と通信する。第１通信線５は、例えば、室内機、室外機などの空調機器の制御のために使用される専用の通信線である。空調機器２は、空調管理装置３の管理下で動作する。
【００１９】
空調管理装置３は、空調機器２を管理する。空調管理装置３は、第１通信線５を介して空調機器２と通信する。また、空調管理装置３は、第２通信線６を介して監視端末４と通信する。第２通信線６は、例えば、ツイストペアケーブル、同軸ケーブルなどの通信線である。なお、第２通信線６は、IEEE 802.11、IEEE 802.15などの無線通信によって形成される通信路であってもよい。
【００２０】
監視端末４は、空調管理装置３を介して、ユーザが空調機器２の管理をするための端末である。監視端末４のユーザは、例えば建屋の管理者である。ユーザは、監視端末４を操作することにより、空調管理装置３の管理下にある空調機器２の状態を確認できる。
【００２１】
図３を参照しながら、空調機器２の構成を説明する。空調機器２は、空調機器２を統括的に制御する制御部２０と、撮像したドレンパンの画像情報を記憶する記憶部２１と、ドレンパンを撮像するカメラ２２と、第１通信線５を介して空調管理装置３と通信する第１通信部２３と、メインユニット２４と、を備える。メインユニット２４は、一般的な室内機の本来的な機能を実現するための構成部である。メインユニット２４には、例えば、ファン、熱交換器、温度センサ等が含まれる。
【００２２】
制御部２０は、第１通信部２３を介して空調管理装置３から受信したコマンドに応じた処理を実行する。コマンドには、例えば、運転制御コマンドと、運転状態要求コマンドと、画像要求コマンドと、が含まれる。運転制御コマンドとは、空調機器２の運転／停止の切り替え、冷房、暖房、除湿、送風等の運転モードの切り替え、設定温度、設定湿度、風量等の変更を空調機器２に指示するコマンドである。運転状態要求コマンドとは、例えば、運転中又は停止中を示す情報、サーモオン又はサーモオフを示す情報、冷房、暖房、送風などの運転モード、設定温度、室内温度などの空調機器２の現在の運転状態を要求するコマンドである。画像要求コマンドとは、空調機器２が備えるドレンパンの撮像画像を要求するコマンドである。
【００２３】
制御部２０の機能は、例えば、図４に示される、プロセッサ１００１とメモリ１００２とインタフェース１００３とリアルタイムクロック１００４とを備えるマイクロコントローラにより実現される。プロセッサ１００１、メモリ１００２、インタフェース１００３及びリアルタイムクロック１００４は、例えばバスラインにより相互に接続されている。プロセッサ１００１は、例えばCPU（Central Processing Unit）である。メモリ１００２は、例えばRAM（Random Access Memory）及びROM（Read-Only Memory）である。インタフェース１００３は、例えばI/O（Input/Output）ポートである。制御部２０は、インタフェース１００３を介して記憶部２１、カメラ２２及び第１通信部２３と接続されている。メモリ１００２は、プロセッサ１００１が処理を実行する際のワークメモリとして機能する。また、メモリ１００２は、制御用プログラムを格納する。プロセッサ１００１は、空調機器２の起動時に、メモリ１００２に格納された制御用プログラムを読み込んで実行する。プロセッサ１００１が制御用プログラムを実行することにより、制御部２０の機能が実現される。制御部２０は、撮像時にリアルタイムクロック１００４から現在時刻を取得できる。
【００２４】
なお、制御部２０の機能の一部または全部を、ASIC（Application Specific Integrated Circuit: 特定用途向け集積回路）、FPGA（Field-Programmable Gate Array）などを使用した専用回路によって実現してもよい。
【００２５】
再び図３を参照する。記憶部２１は、EEPROM（Electrically Erasable Programmable Read-Only Memory）、フラッシュメモリ、ハードディスクドライブなどの記憶装置を備える。記憶部２１は、制御部２０の制御により、カメラ２２が撮像したドレンパンの画像を示す情報と撮像日時とを対応付けた撮像画像情報を記憶する。記憶部２１は、最新の撮像画像情報のみを記憶してもよいし、撮像画像情報を時系列的に記憶してもよい。
【００２６】
カメラ２２は、例えば図５に示す、回動可能なカメラである。回動可能なカメラを用いることにより、ドレンパンの近くにカメラを設置しても、ドレンパン全体を撮像することができる。カメラ２２は、制御部２０の制御によりドレンパンを撮像する。カメラ２２は、撮像して得られた画像を示す情報を制御部２０に出力する。
【００２７】
天井埋め込み形の空調機器２内のドレンパンを撮像したときに得られる画像の一例を図６及び図７に示す。図６は、汚れが付着していないドレンパンを撮像したときの画像である。図７は、カビ、スライムなどの汚れが多く付着しているドレンパンを撮像したときの画像である。なお、この一例ではドレンパンを１枚の画像で示しているが、カメラ２２は回動するため、ドレンパンは複数箇所で撮像されている。したがって、ドレンパンの撮像画像は、実際には複数の画像の組み合わせ、もしくは複数の画像を合成した画像により表される。
【００２８】
なお、カメラ２２は、回動可能なカメラでなくてもよい。例えば、ドレンパン近辺にレールを設け、レールに沿って水平移動が可能なカメラを用いてもよい。また、複数のカメラを設置することによりドレンパン全体を撮像してもよい。あるいは、ドレンパン周辺に撮像のための十分な空間を設けることにより、回動または移動が不可能な１つのカメラであってもドレンパン全体を撮像することが可能となる。
【００２９】
再び図３を参照する。第１通信部２３は、空調管理装置３からコマンドを受信し、制御部２０に出力する。また、第１通信部２３は、制御部２０から運転状態を示す情報（以下、運転状態情報という。）及び撮像画像情報を取得し、空調管理装置３に送信する。
【００３０】
上述の空調機器２は、ドレンパンを撮像する撮像手段を備える、といえる。制御部２０がカメラ２２を制御して空調機器２内のドレンパンを撮像することにより、撮像手段の機能が実現される。
【００３１】
また、上述の空調機器２は、撮像したドレンパンの画像を示す情報を出力する画像出力手段を備える、といえる。制御部２０が、空調管理装置３に撮像画像情報を送信することにより、画像出力手段の機能が実現される。
【００３２】
図８を参照しながら、空調管理装置３の構成を説明する。空調管理装置３は、空調管理装置３の各構成部を制御する制御部３０と、各種のデータを記憶する記憶部３１と、第１通信線５を介して空調機器２と通信する第１通信部３２と、第２通信線６を介して監視端末４と通信する第２通信部３３と、を備える。
【００３３】
制御部３０は、第１通信部３２を介して、空調機器２に運転制御コマンドを送信して空調機器２を制御する。制御部３０は、空調機器２に設定されたアドレスを使用して、通信対象の空調機器２を特定する。
【００３４】
制御部３０は、第１通信部３２を介して、空調機器２に運転状態要求コマンド及び画像要求コマンドを送信することで、空調機器２から、運転状態情報及び撮像画像情報を取得する。制御部３０は、第２通信部３３を介して、監視端末４から情報の要求を受けると、要求に応じた情報を監視端末４に送信する。例えば、監視端末４から、ドレンパンの汚れ情報についての要求があったとき、制御部３０は、ドレンパンの汚れを示す汚れ情報を監視端末４に送信する。汚れ情報とは、例えばドレンパンの汚れの度合を示す汚れ度を高、中、低の３段階で表したものである。また、汚れ度を要清掃、清掃不要の２段階で表してもよいし、例えば１００段階の数値により表してもよい。汚れ度の算出については後述する。
【００３５】
制御部３０は、記憶部３１が格納するデータを読み書きし、空調機器２の制御及び管理を行う。記憶部３１が格納するデータの詳細は後述する。制御部３０は、例えば、記憶部３１が格納するスケジュールデータ３１３を参照し、スケジュールデータ３１３に定められたタイミングで空調機器２に画像要求コマンドを送信する。
【００３６】
制御部３０は、記憶部３１に格納された、基準となるドレンパンの画像を示す基準画像情報と、空調機器２から取得した撮像画像情報とを比較して汚れ度を取得する比較部３００を備える。基準画像情報については後述するが、例えば、清掃直後のドレンパンの画像を示す情報が基準画像情報となる。比較部３００は、例えば、基準画像情報と撮像画像情報とで異なる画素を抽出し、異なる画素の数に基づいて汚れ度を算出する。
【００３７】
制御部３０の機能は、例えば、図４に示される、プロセッサ１００１とメモリ１００２とインタフェース１００３とリアルタイムクロック１００４とを備えるパーソナルコンピュータ、マイクロコントローラなどのコンピュータにより実現される。プロセッサ１００１、メモリ１００２、インタフェース１００３及びリアルタイムクロック１００４は、例えばバスラインにより相互に接続されている。プロセッサ１００１は、例えばCPUである。メモリ１００２は、例えばRAM及びROMである。インタフェース１００３は、例えばI/Oポートである。制御部３０は、インタフェース１００３を介して記憶部３１、第１通信部３２及び第２通信部３３と接続されている。メモリ１００２は、プロセッサ１００１が処理を実行する際のワークメモリとして機能する。また、メモリ１００２は、制御用プログラムを格納する。プロセッサ１００１は、空調管理装置３の起動時に、メモリ１００２に格納された制御用プログラムを読み込んで実行する。プロセッサ１００１が制御用プログラムを実行することにより、制御部３０の機能が実現される。
【００３８】
なお、制御部３０の機能の一部または全部を、ASIC、FPGAなどを使用した専用回路によって実現してもよい。
【００３９】
再び図８を参照する。記憶部３１は、空調機器２の運転状態及び運転時間に関する情報が含まれる運転データ３１０と、空調機器２のアドレス、配置位置などのシステム構成に関する情報が含まれる構成データ３１１と、撮像画像情報、清掃日時情報などのドレンパンに関する情報が含まれるドレンパンデータ３１２と、ドレンパンの撮像タイミングを定める情報が含まれるスケジュールデータ３１３と、を記憶する。運転データ３１０は、運転状態データ３１０ａと運転時間データ３１０ｂとを含む。記憶部３１は、EEPROM、フラッシュメモリ、ハードディスクドライブなどの記憶装置を備える。以下、記憶部３１が格納するデータについて図面を参照しながら説明する。
【００４０】
運転状態データ３１０ａは、例えば、図９に示されるテーブルにより表される。運転状態データ３１０ａは、空調機器２のアドレスを示すアドレスフィールドと、空調機器２が現在運転しているか停止しているかを示す運転／停止フィールドと、空調機器２のサーモスタットが現在オンかオフかを示すサーモオン／オフフィールドと、冷房モード、暖房モードなどの空調機器２の現在の運転モードを示す運転モードフィールドと、空調機器２の現在の設定温度を示す設定温度フィールドと、空調機器２が設置されている部屋の現在の室内温度を示す室内温度フィールドと、を含む。
【００４１】
図９に示す例では、例えば、空調機器２ａ及び空調機器２ｂは設定温度２２℃にて暖房運転をしており、空調機器２ｃは設定温度２５℃にて冷房運転をしており、空調機器２ｄは停止中であることがわかる。また、空調機器２ａが設置されている部屋の室内温度が１９℃であり、空調機器２ｂが設置されている部屋の室内温度が２０℃であり、空調機器２ｃが設置されている部屋の室内温度が２５℃であり、空調機器２ｄが設置されている部屋の室内温度が１５℃であることがわかる。
【００４２】
制御部３０は、空調機器２から運転状態情報を取得すると、運転状態データ３１０ａにおける当該空調機器２に対応するレコード、即ち、運転／停止フィールド、サーモオン／オフフィールド、運転モードフィールド、設定温度フィールド及び室内温度フィールドを更新する。
【００４３】
運転時間データ３１０ｂは、例えば、図１０で示されるテーブルにより表される。運転時間データ３１０ｂは、空調機器２のアドレスを示すアドレスフィールドと、直近の清掃時点からの運転時間の合計を示す運転時間フィールドと、直近の清掃時点からの冷房運転時間の合計を示す冷房運転時間フィールドと、直近の清掃時点からの暖房運転時間の合計を示す暖房運転時間フィールドと、を含む。冷房運転時間とは、サーモスタットがオンであり、冷風を送風している時間である。暖房運転時間とは、サーモスタットがオンであり、温風を送風している時間である。
【００４４】
図１０に示す例では、例えば、空調機器２ａ及び空調機器２ｂの運転時間はともに８２３時間であり、空調機器２ａと空調機器２ｂとで冷房運転時間及び暖房運転時間に少し差があることがわかる。また、空調機器２ｃの運転時間が冷房運転時間と等しいので、空調機器２ｃが運転しているときは常に冷房を行っていることがわかる。また、空調機器２ｄの運転時間は、空調機器２ａ、空調機器２ｂ及び空調機器２ｃと比べて非常に短いことがわかる。
【００４５】
制御部３０は、例えば、空調機器２が現在運転しているか否か、現在冷房運転中か否か、及び現在暖房運転中か否かを常時監視し、１分ごとに運転時間フィールド、冷房運転時間フィールド及び暖房運転時間フィールドを更新する。
【００４６】
構成データ３１１は、例えば、図１１で示されるテーブルにより表される。構成データ３１１は、空調機器２のアドレスを示すアドレスフィールドと、空調機器２が設置されている部屋の名称を示す部屋フィールドと、空調機器２が属する操作グループを示すグループフィールドと、空調機器２と連動して動作する換気機器を示す換気連動機器フィールドと、空調機器２が設置されているフロアの平面図を示すフロアフィールドと、空調機器２が設置されている座標を示す座標フィールドと、を含む。構成データ３１１は、例えば、空調機器２の設置時に設定される。
【００４７】
制御部３０は、例えば、空調管理装置３の起動時に、換気連動機器フィールドが示す換気機器を空調機器２の起動と連動して起動させる。また、制御部３０は、例えば、監視端末４に構成データ３１１を送信する。監視端末４は、受信した構成データ３１１に基づいて、空調機器２に関する情報を表示する。例えば、監視端末４は、図１８に示すとおり、間取り図を表示する際に、空調機器２の設置位置に対応する座標に空調機器２のアイコンを表示することができる。
【００４８】
なお、構成データ３１１は、上述のフィールドのほか、空調機器２の機種名を示すフィールド、天井埋め込み形、壁掛け形など空調機器２の機種タイプを示すフィールド、空調機器２の設置日を示すフィールドなどを含んでもよい。
【００４９】
ドレンパンデータ３１２は、例えば、図１２で示されるテーブルにより表される。ドレンパンデータ３１２は、ドレンパンの撮像日時を示す撮像日時フィールドと、空調機器２のアドレスを示すアドレスフィールドと、撮像したドレンパンの画像を示す撮像画像フィールドと、撮像画像を後述の基準画像として用いるか否かを示す基準フラグフィールドと、ドレンパンの汚れ度を示す汚れ度フィールドと、ドレンパンを清掃した直近の日時を示す清掃日時フィールドと、を含む。
【００５０】
制御部３０は、例えば、空調機器２から撮像画像情報を取得したときに、撮像日時フィールドと撮像画像フィールドと、を更新する。例えば、ユーザが監視端末４に空調機器２の清掃日時を入力し、監視端末４が清掃日時情報を送信したとき、制御部３０は、監視端末４から受信した清掃日時情報に基づいて清掃日時フィールドを更新する。制御部３０は、例えば、ドレンパンの清掃後最初に撮像画像情報を取得したときに、基準フラグフィールドを有効にする。制御部３０は、例えば、同じ空調機器２における撮像画像情報と基準画像情報とを比較して汚れ度を算出し、汚れ度フィールドを更新する。基準画像情報とは、汚れ度を算出する際に使用する、撮像画像情報との比較対象となる基準画像を示す情報である。例えば、ドレンパンデータ３１２のうち、基準フラグフィールドが有効となっているレコードにおける撮像画像フィールドに格納された撮像画像情報が基準画像情報となる。撮像画像情報と基準画像情報との比較については後述する。
【００５１】
スケジュールデータ３１３は、例えば、図１３で示されるテーブルにより表される。スケジュールデータ３１３は、空調機器２のアドレスを示すアドレスフィールドと、ドレンパンを撮像するタイミングを示す撮像条件フィールドと、を含む。例えば、ユーザが監視端末４を操作して撮像スケジュールを設定し、監視端末４が空調管理装置３に設定データを送信したときに、制御部３０は、監視端末４から受信した設定データに基づいてスケジュールデータ３１３を更新する。制御部３０は、スケジュールデータ３１３に設定された撮像条件を満たしたときに、空調機器２に画像要求コマンドを送信する。
【００５２】
再び図８を参照する。第１通信部３２は、制御部３０からコマンドを取得し、空調機器２に送信する。第１通信部３２は、空調機器２から、運転状態情報及び撮像画像情報を受信し、制御部３０に出力する。
【００５３】
第２通信部３３は、制御部３０から監視端末４に表示させるべき情報を取得し、監視端末４に送信する。監視端末４に表示させるべき情報とは、例えば、フロアの平面図を示す情報、空調機器２の設置位置を示す情報、運転状態、運転時間など空調機器２の状態を示す情報、空調機器２内のドレンパンの撮像画像情報、ドレンパンの汚れ度を示す情報などである。第２通信部３３は、監視端末４からユーザの操作を示す操作情報を受信し、制御部３０に出力する。ユーザの操作とは、例えば、空調機器２の制御に関する操作、清掃日時の入力操作、ドレンパンの撮像画像の確認操作、ドレンパンの撮像スケジュールの設定変更操作である。
【００５４】
上述の空調管理装置３は、撮像されたドレンパンの画像を示す撮像画像情報を通信により空調機器２から取得する画像取得手段と、撮像画像情報に基づく汚れ情報を出力する汚れ情報出力手段と、を備える、といえる。制御部３０が第１通信部３２を介して空調機器２から撮像画像情報を受信することにより、画像取得手段の機能が実現される。比較部３００が撮像画像情報と基準画像情報とを比較して汚れ度を算出し、制御部３０が、第２通信部３３を介して監視端末４に汚れ度を示す情報を送信することにより、汚れ情報出力手段の機能が実現される。
【００５５】
また、上述の空調管理装置３は、基準となるドレンパンの画像を示す基準画像情報を記憶する記憶手段をさらに備える、といえる。制御部３０が、記憶部３１のドレンパンデータ３１２に清掃後初めてドレンパンを撮像したときの撮像画像情報を格納することにより、記憶手段の機能が実現される。そして、上述のとおり、比較部３００が撮像画像情報と基準画像情報とを比較して汚れ度を算出し、制御部３０が監視端末４に汚れ度を示す情報を送信するので、上述の汚れ情報出力手段は、撮像画像情報と基準画像情報との比較結果に基づいて汚れ情報を出力する、といえる。
【００５６】
図１４を参照しながら、監視端末４の構成を説明する。監視端末４は、監視端末４の機能を制御する制御部４０と、空調管理装置３から受信した情報を表示する表示部４１と、ユーザからの操作を受け付ける操作部４２と、第２通信線６を介して空調管理装置３と通信する通信部４３と、を備える。
【００５７】
制御部４０は、ユーザの操作を示す操作情報を操作部４２から取得する。制御部４０は、ユーザの操作に応じて、監視端末４に表示させるべき情報を空調管理装置３から受信する。例えば、ユーザの操作がドレンパンの撮像画像及びドレンパンの汚れ度を確認する操作であったとき、制御部４０は、撮像画像情報及び汚れ度を示す情報を空調管理装置３から受信する。制御部４０は、受信した情報を表示部４１に表示させる。制御部４０は、表示部４１に情報を表示させるとき、例えば、図１６、図１７及び図１８に示すユーザインタフェース画面により情報を表示する。ユーザインタフェース画面の詳細は後述する。
【００５８】
制御部４０の機能は、例えば、図４に示される、プロセッサ１００１とメモリ１００２とインタフェース１００３とリアルタイムクロック１００４とを備えるパーソナルコンピュータ、タブレット端末、スマートフォン、マイクロコントローラなどのコンピュータにより実現される。プロセッサ１００１、メモリ１００２、インタフェース１００３及びリアルタイムクロック１００４は、例えばバスラインにより相互に接続されている。プロセッサ１００１は、例えばCPUである。メモリ１００２は、例えばRAM及びROMである。インタフェース１００３は、例えばI/Oポートである。制御部４０は、インタフェース１００３を介して表示部４１、操作部４２及び通信部４３と接続されている。メモリ１００２は、プロセッサ１００１が処理を実行する際のワークメモリとして機能する。また、メモリ１００２は、制御用プログラムを格納する。プロセッサ１００１は、監視端末４の起動時に、メモリ１００２に格納された制御用プログラムを読み込んで実行する。プロセッサ１００１が制御用プログラムを実行することにより、制御部４０の機能が実現される。
【００５９】
なお、制御部４０の機能の一部または全部を、ASIC、FPGAなどを使用した専用回路によって実現してもよい。
【００６０】
再び図１４を参照する。表示部４１は情報を表示するための表示装置を備える。表示装置とは、例えば、液晶ディスプレイである。表示部４１は、制御部４０の制御により、監視端末４に表示させるべき情報を表示する。
【００６１】
操作部４２はユーザの操作を受け付ける入力装置を備える。入力装置とは、例えば、液晶ディスプレイと一体的に使用されるタッチパネルである。操作部４２は、ユーザの操作を示す操作情報を制御部４０に出力する。操作情報とは、例えば、ユーザの指がタッチパネルに触れたときにおける、指が触れた位置を示す情報である。制御部４０は、例えば、表示部４１に表示させている画面と、ユーザの指が触れた位置と、に基づいてユーザの操作内容を判断し、操作内容に応じた情報を空調管理装置３に要求する。
【００６２】
通信部４３は、空調管理装置３から、監視端末４に表示させるべき情報を受信して制御部４０に出力する。
【００６３】
以上、空調管理システム１の構成について説明した。次に、空調管理システム１による、ドレンパンの撮像から汚れ度の算出までの動作の流れを、図１５を参照しながら説明する。
【００６４】
まず、空調管理装置３の制御部３０は、スケジュールデータ３１３が示す撮像条件を満たすタイミングまで待機する（ステップＴ１）。ここで、「待機」とは、画像要求コマンドの送信について「待機」することをいう。したがって、運転モード変更、設定温度変更、運転状態の取得など、その他の空調機器２の制御、管理に関する動作は並行して行ってもよい。
【００６５】
スケジュールデータ３１３が示す撮像条件を満たしたとき、制御部３０は、空調機器２に画像要求コマンドを送信する（ステップＴ２）。空調機器２が画像要求コマンドを受信すると、空調機器２の制御部２０は、カメラ２２を制御して空調機器２内のドレンパンを撮像する（ステップＴ３）。制御部２０は、撮像したドレンパンの画像を示す情報と撮像日時とを対応付けた撮像画像情報を記憶部２１に格納する（ステップＴ４）。制御部２０は、格納した撮像画像情報を空調管理装置３に送信する（ステップＴ５）。
【００６６】
空調管理装置３が撮像画像情報を受信すると、空調管理装置３の制御部３０は、撮像画像情報をドレンパンデータ３１２に格納する（ステップＴ６）。即ち、当該空調機器２に対応する新たなレコードをドレンパンデータ３１２に追加する。
【００６７】
制御部３０の比較部３００は、受信した撮像画像情報に含まれる撮像画像と基準画像とを比較し、汚れ度を算出する（ステップＴ７）。基準画像は、例えば、上述のとおり、ドレンパンデータ３１２において、基準フラグフィールドが有効になっているレコードにおける撮像画像である。この撮像画像は、清掃直後に撮像した、汚れていない状態のドレンパンの撮像画像といえる。したがって、基準画像は、例えば、図６に表されるドレンパンの撮像画像である。
【００６８】
汚れ度の算出方法として、例えば、撮像画像と基準画像との画素ごとの差分を取得し、異なる画素の数に基づいて汚れ度を算出する方法がある。例えば図６及び図７に示す撮像画像において、ドレンパンの枠外部分については図６及び図７で差がない。一方、図７に示す汚れ部分については、図６に示す画像内には存在しないため、差が生じる。この方法は、汚れていない状態の画像と異なる部分を汚れとして扱う、といえる。また、単純に比較するのではなく、双方の画像の各画素を明暗に応じて二値化した上で比較することも考えられる。二値化することにより、撮像条件の違い、水分の付着などにより生じる差を抑えることができる。
【００６９】
制御部３０は、比較部３００が算出した汚れ度を、ドレンパンデータ３１２における当該空調機器２に対応する最新のレコードの汚れ度フィールドに格納する。そして、制御部３０は、監視端末４から要求があったとき、汚れ度を示す情報を監視端末４に送信する（ステップＴ８）。
【００７０】
以上、ドレンパンの撮像から汚れ度の算出までの動作の流れについて説明した。次に、ユーザが監視端末４を操作するときの表示画面及び画面遷移について、図１６、図１７及び図１８を参照しながら説明する。なお、以下の説明において、監視端末４は、液晶ディスプレイと一体化したタッチパネルによって操作するものとする。
【００７１】
ユーザが監視端末４を操作し、ドレンパンを監視するための画面を表示させると、例えば図１６に示す、空調機器２の一覧が表示部４１の液晶ディスプレイに表示される。図１６では、ドレンパンの汚れ度の高低に応じて空調機器２がグループ分けされている。図１６では、空調機器２ごとに、左から順に、空調機器２のアドレス、空調機器２の機種タイプを示すアイコン、空調機器２が設置されているフロア、空調機器２が設置されている部屋の名称、空調機器２内のドレンパンの撮像画像を表示するための画像確認ボタン及びドレンパンの清掃日時が表示されている。監視端末４の表示部４１にこれらの情報を表示させるために、例えば、画面を表示させる直前に監視端末４の制御部４０が空調管理装置３からこれらの情報を取得する。
【００７２】
図１６に示す最上段のタブをタッチすることにより、ドレンパンの監視のほか、撮像スケジュールの確認及び空調機器２の運転状態の確認をすることができる。図１６に示す２段目のタブをタッチすることにより、空調機器２の一覧表示と、図１８に示す、空調機器２が設置されている建屋の間取り図の表示とを切り替えることができる。なお、図１８に示す間取り図では、ドレンパンの汚れ度に応じて機種タイプを示すアイコンの色を変色させている。また、機種タイプを示すアイコンをタッチすることにより、例えばドレンパンの撮像画像を確認できる。また、詳細な説明は省略するが、例えば画面に対してスワイプ操作をすることにより、図１６に図示しない画面、例えば設定温度変更画面に遷移することもできる。
【００７３】
ユーザが、図１６に示す画像確認ボタンをタッチすると、図１７に示すとおり、直近の撮像日時におけるドレンパンの撮像画像と、前回の清掃直後におけるドレンパンの撮像画像である基準画像と、が並べて表示される。ユーザは、表示された撮像画像を確認することにより、ドレンパンの清掃が必要かを判断できる。制御部４０は、例えば、ユーザが画像確認ボタンをタッチしたときに空調管理装置３から撮像画像及び基準画像を取得し、撮像画像及び基準画像を表示部４１に表示させる。
【００７４】
なお、図１６に示すとおり、予め汚れ度の高低に応じて空調機器２が分類されているため、例えば汚れ度が低い空調機器２についてはユーザが改めて撮像画像を確認する必要がなく、点検コストを削減できる。
【００７５】
図１６では撮像画像を確認するための画像確認ボタンが表示されているが、画像確認ボタンに代えて、撮像画像を縮小した画像を確認ボタンの代わりに表示させてもよい。この場合、ユーザは縮小画像をタッチすることにより、図１７と同様の画像確認画面が表示される。
【００７６】
上述の表示画面は、例えば、空調管理装置３にウェブサーバ機能を設け、監視端末４にウェブブラウザをインストールし、ウェブブラウザによって空調管理装置３のウェブサーバにアクセスすることにより実現できる。また、監視端末４に専用の空調管理プログラムをインストールし、空調管理プログラムを実行することによっても実現できる。
【００７７】
以上、実施の形態１に係る空調管理システム１について説明した。空調管理システム１によれば、空調機器２にカメラ２２を設け、カメラ２２に空調機器２内のドレンパンを撮像させることにより、空調機器２を分解点検することなくドレンパンの汚れを確認できるため、点検コストを削減できる。また、空調管理装置３に汚れ度を算出させることにより、汚れ度の低いドレンパンの撮像画像を目視確認する必要がなくなるため、さらに点検コストを削減できる。以上により、空調管理システム１によれば、空調機器２の点検を支援できる。
【００７８】
（実施の形態２）
図１９に示す実施の形態２に係る空調管理システム１Ｐは、空調管理システム１と同様に、建屋内に設置された複数の空調機器２内のドレンパンを一括して監視するシステムである。
【００７９】
図１９を参照しながら、空調管理システム１Ｐの構成のうち、空調管理システム１と異なる点を説明する。なお、図１９において、個々の空調機器２については図示を省略し、空調機器群７のみを図示している。
【００８０】
本実施の形態では、複数の空調管理装置３が１つの監視端末４Ｐと接続されている点が、空調管理システム１と異なる点である。空調管理装置３は、例えば、建屋のフロアごとに設置されている。空調管理装置３は、例えば、空調管理装置３と同一のフロアに設置されている空調機器群７と接続されている。
【００８１】
建屋の規模が大きく、設置される空調機器２の数が膨大である場合、空調機器２を管理するためには複数の空調管理装置３が必要となる。空調管理システム１Ｐによれば、建屋内に複数の空調管理装置３を設置する必要がある場合でも、全ての空調機器２内のドレンパンを監視端末４Ｐによって監視することができる。したがって、空調管理システム１Ｐによれば、空調機器２の点検を支援できる。
【００８２】
（実施の形態３）
図２０に示す実施の形態３に係る空調管理システム１Ｑは、建屋内に設置された空調機器２内のドレンパンを、ネットワークＮＷを介して監視するシステムである。
【００８３】
図２０を参照しながら、空調管理システム１Ｑの構成のうち、空調管理システム１と異なる点を説明する。なお、図２０において、個々の空調機器２については図示を省略し、空調機器群７のみを図示している。
【００８４】
まず、監視端末４Ｑが、ネットワークＮＷを介して空調管理装置３と接続されている点が空調管理システム１と異なる点である。ネットワークＮＷは、例えば、LAN（Local Area Network）、WAN（Wide Area Network）、インターネット等である。
【００８５】
また、図２０に示すとおり、監視端末４Ｑは、ネットワークＮＷを介して空調管理装置３と接続されるので、異なる建屋内に設置されている空調管理装置３と接続可能となっている点も空調管理システム１と異なる点である。なお、図２０では、複数の建屋及び複数の空調管理装置３を示しているが、建屋は１つであってもよく、空調管理装置３は１つであってもよい。空調管理装置３の設置されている建屋あるいは空調管理装置３の設置数によらず、監視端末４ＱはネットワークＮＷを介して空調管理装置３と接続される。
【００８６】
監視端末４Ｑは、複数の建屋について、空調機器２内のドレンパンを監視できるので、監視端末４Ｑに表示される画面は、監視端末４とは異なったものとなりうる。例えば、図２１に示すとおり、間取り図を表示する画面において、表示対象とする建屋を選択するためのユーザインタフェースが設けられている画面が監視端末４Ｑに表示されうる。また、図２１に示される画面では、併せて、フロアを選択するためのユーザインタフェースも設けられている。
【００８７】
以上より、空調管理システム１Ｑによれば、監視端末４ＱがネットワークＮＷを介して空調管理装置３と接続されることにより、遠隔地に設置された空調機器２内のドレンパンを一括して監視することができる。したがって、空調管理システム１Ｑによれば、空調機器２の点検を支援できる。
【００８８】
（実施の形態４）
図２２に示す実施の形態４に係る空調機器２Ｒは、ユーザが携帯端末９Ｒによって、空調機器２Ｒ内のドレンパンの撮像画像を確認することができる空調機器である。
【００８９】
図２２を参照しながら、空調機器２Ｒの構成のうち、空調機器２と異なる点を以下に説明する。空調機器２Ｒは、第２通信部２５Ｒをさらに備える。制御部２０Ｒは、第２通信部２５Ｒとも接続されている。第２通信部２５Ｒは、通信路８Ｒを介して携帯端末９Ｒと接続されている。なお、図２２では、第１通信部２３及び第１通信線５を表示しているが、これらを省略した形態であってもよい。つまり、空調機器２Ｒが空調管理装置３と接続されていない形態であってもよい。
【００９０】
携帯端末９Ｒは、例えば、スマートフォン、タブレット端末である。通信路８Ｒは、例えば、IEEE 802.11、IEEE 802.15などの無線通信によって形成される通信路である。携帯端末９Ｒには、空調機器２Ｒ内のドレンパンの撮像画像を確認するための専用プログラムがインストールされている。携帯端末９Ｒが専用プログラムを実行することにより、画像要求コマンドを空調機器２Ｒに送信する。
【００９１】
制御部２０Ｒは、第２通信部２５Ｒを介して受信した画像要求コマンドに応じて、カメラ２２を制御してドレンパンを撮像する。制御部２０Ｒは、撮像画像情報を、第２通信部２５Ｒを介して携帯端末９Ｒに送信する。
【００９２】
携帯端末９Ｒは、専用プログラムの実行により、空調機器２Ｒから受信した撮像画像情報に基づいて、ドレンパンの撮像画像を表示する。携帯端末９Ｒのユーザは、ドレンパンの撮像画像を確認することにより、ドレンパンの清掃が必要か否かを判断できる。
【００９３】
空調機器２Ｒによれば、例えば、空調機器２Ｒが設置されている部屋に作業員がいる場合において、作業員は、監視端末４が設置されている部屋に行くことなく、かつ空調機器２Ｒを分解点検することなく、ドレンパンの汚れを確認できる。また、空調管理装置３及び監視端末４を必要とすることなく、ドレンパンの汚れを確認できる。したがって、空調機器２Ｒによれば、空調機器２Ｒの点検を支援できる。
【００９４】
また、空調機器２Ｒが家庭用空調機器である場合、家庭内に空調管理装置３及び監視端末４を設置することは困難である。さらに、空調機器２Ｒのユーザは通常、空調機器２Ｒを分解する技能を有していないため、ドレンパンを分解点検することができない。この場合においても、空調機器２Ｒによれば、ユーザが携帯端末９Ｒによってドレンパンの汚れを確認することにより、適切なタイミングで清掃業者にドレンパンの清掃を依頼することができる。したがって、この場合においても、空調機器２Ｒによれば、空調機器２Ｒの点検を支援できる。
【００９５】
上述の空調機器２Ｒは、ドレンパンを撮像する撮像手段と、撮像手段により撮像された画像を示す情報を出力する画像出力手段と、を備える空調機器である、といえる。制御部２０Ｒがカメラ２２を制御することにより撮像手段の機能が実現され、制御部２０Ｒが撮像画像情報を携帯端末９Ｒに送信することにより、画像出力手段の機能が実現される。
【００９６】
（変形例）
実施の形態１−３において、空調管理装置３に表示部と操作部とをさらに設け、ユーザが空調管理装置３の操作部により空調管理装置３を操作し、空調管理装置３の表示部によりドレンパンの監視をする形態としてもよい。つまり、空調管理装置３が監視端末４の表示部４１の機能と操作部４２の機能とを備える形態としてもよい。この形態においては、空調管理装置３の制御部３０が表示部に汚れ度を表示させることにより、汚れ情報出力手段の機能が実現される。
【００９７】
実施の形態１−３において、空調管理装置３の制御部３０が比較部３００を備えず、空調管理装置３が汚れ度を算出しない形態としてもよい。この形態においても、空調管理装置３は監視端末４に撮像画像情報を送信できるため、ユーザは、監視端末４に表示されたドレンパンの撮像画像を確認することにより、ドレンパンの汚れを確認できる。この形態においては、撮像画像そのものがドレンパンの汚れを示す汚れ情報である、といえる。したがって、この形態においては、制御部３０が監視端末４に汚れ情報である撮像画像情報を送信することにより、汚れ情報出力手段の機能が実現される。なお、空調管理装置３は監視端末４に撮像画像情報と共に基準画像情報を送信し、監視端末４は、撮像画像と基準画像を表示してもよい。このようにすると、ユーザは、ドレンパンの汚れを容易に確認できる。
【００９８】
実施の形態１−３において、空調管理装置３は、空調機器２内のドレンパンの汚れ度が閾値以上となったとき、汚れ度が閾値以上になったことをユーザに通知する形態としてもよい。例えば、汚れ度が「高」となったとき、その旨をユーザに通知する。ユーザへの通知を実現するには、例えば、空調管理装置３が、汚れ度が閾値以上になった旨を監視端末４に送信し、監視端末４が、汚れ度が閾値以上になった旨を表示部４１に表示させる。あるいは、空調管理装置３をインターネットと接続させ、空調管理装置３が、ユーザが所有する携帯端末に電子メール、SMS（Short Message Service）などによって通知をする形態としてもよい。
【００９９】
実施の形態１−３において、空調管理装置３が算出した汚れ度をユーザが修正し、修正結果に基づいて汚れ度の算出を改善させる形態としてもよい。以下、図１７及び図２３を参照しながら、例示により説明する。監視端末４の表示部４１に図１７に示す画面が表示されているときに、ユーザがドレンパンの画像をタッチすることにより、図２３に示す、汚れ度を修正する画面へと遷移する。ユーザは、撮像画像を見て汚れ度を判断し、必要に応じて汚れ度を修正するボタンをタッチすることにより、空調管理装置３によって算出された汚れ度を修正できる。例えば、ユーザが汚れ度を「中」に修正すると、空調管理装置３の制御部３０は、該当するドレンパンデータ３１２の汚れ度フィールドを「中」に修正する。また、比較部３００は、ユーザの修正に基づいて汚れ度の算出方法を変更させる。例えば、比較部３００が、撮像画像と基準画像とを比較し、異なる画素の数が閾値以上であるときに汚れ度を「高」とする場合、比較部３００は、ユーザの修正に基づいて閾値を変更させる。汚れ度の算出方法を変更させることにより、比較部３００による汚れ度の算出結果と、ユーザによる汚れ度の判断とが一致しやすくなる。つまり、ユーザの修正によって汚れ度の算出を学習できる。
【０１００】
自治体によっては、同一の環境下で動作する複数の空調機器について、それらの空調機器のうち１つについてドレンパンを点検することによって、他の空調機器のドレンパンについては、点検することなくドレンパンの状況を判断してもよいことが定められている。同一の環境下とは、例えば、空調機器が設置されているフロアが同一であり、運転時間が同一又は近接し、機種が同一である場合である。
【０１０１】
したがって、実施の形態１−３において、空調管理装置３の制御部３０が、同一の環境下で動作する空調機器２を特定し、１つの空調機器２のドレンパンのみを監視し、他の空調機器２のドレンパンの監視を省略し、監視している空調機器２のドレンパンの汚れ度を他の空調機器２のドレンパンの汚れ度として監視端末４に送信する形態としてもよい。ドレンパンの監視が省略された空調機器２にはカメラ２２が不要となるので、コストを削減できる。
【０１０２】
例えば、建屋内における空調機器２の設置位置が図２に示すものであり、空調機器２ａと空調機器２ｂとが同一機種であり、運転時間データ３１０ｂが図１０に示すものである場合を考える。この場合、空調機器２ａと空調機器２ｂとは同一のフロアに設置されている。また、空調機器２ａと空調機器２ｂとは、運転時間がともに８２３時間で同一である。また、空調機器２ａと空調機器２ｂとで、冷房運転時間及び暖房運転時間に多少の差があるが、ほぼ同一といえる。よって、制御部３０は、空調機器２ａと空調機器２ｂとが同一の環境下で動作する空調機器２であると特定する。制御部３０は、空調機器２ａ内のドレンパンのみを監視し、空調機器２ｂ内のドレンパンの監視を省略する。そして、制御部３０は、空調機器２ｂの汚れ度として空調機器２ａの汚れ度を監視端末４に送信する。
【０１０３】
この形態において、空調管理装置３の汚れ情報出力手段は、空調機器２から取得した撮像画像情報に基づく汚れ情報を、同一の環境下で動作する第２空調機器の汚れ情報として出力する、といえる。制御部３０が、同一の環境下で動作する空調機器２を特定し、監視している空調機器２のドレンパンの汚れ度を他の空調機器２のドレンパンの汚れ度として監視端末４に送信することにより汚れ情報出力手段の機能が実現される。
【０１０４】
実施の形態１−３において、空調機器２内に、カメラ２２とは異なる、ドレンパンの汚れを検知する第２のセンサをさらに設け、汚れ度の算出に撮像画像情報と第２のセンサが検知した情報とを利用する形態としてもよい。例えば、空調機器２内に臭気センサを設け、臭気センサが強い臭気を検知したときに、汚れ度を高くする。この形態により、汚れ度の算出がより正確になる。
【０１０５】
実施の形態４において、記憶部２１に基準画像情報を格納させ、制御部２０Ｒに比較部を設け、比較部が撮像画像と基準画像とを比較して空調機器２Ｒ内のドレンパンの汚れ度を算出し、制御部２０Ｒが汚れ度を携帯端末９Ｒに送信する形態としてもよい。また、この形態において、空調機器２Ｒに表示部を設け、制御部２０Ｒが表示部に汚れ度を表示させてもよい。表示部は、例えば空調機器２Ｒの正面に設けられ、汚れ度に応じて色が変化するランプである。ユーザは、携帯端末９Ｒまたは空調機器２Ｒの表示部を確認することにより、適切なタイミングで清掃業者にドレンパンの清掃を依頼することができる。この形態において、空調機器２Ｒは、撮像手段により撮像された画像に基づく汚れ情報を出力する汚れ情報出力手段を備える、といえる。比較部が撮像画像と基準画像とを比較して汚れ度を算出し、制御部２０Ｒが汚れ度を携帯端末９Ｒに送信することにより、あるいは制御部２０Ｒが表示部に汚れ度を表示させることにより、汚れ情報出力手段の機能が実現される。
【０１０６】
空調機器２、空調管理装置３、監視端末４、携帯端末９Ｒで用いられる各種プログラムは、CD-ROM（Compact Disc Read Only Memory）、DVD（Digital Versatile Disc）、光磁気ディスク（Magneto-Optical Disc）、USB（Universal Serial Bus）メモリ、メモリカード、HDD（Hard Disk Drive）等のコンピュータ読み取り可能な記録媒体に格納して配布することが可能である。そして、かかるプログラムを特定の又は汎用のコンピュータにインストールすることによって、当該コンピュータを空調機器２、空調管理装置３、監視端末４、携帯端末９Ｒとして機能させることが可能である。
【０１０７】
また、上述の各種プログラムをインターネット上の他のサーバが有するディスク装置等に格納しておき、当該サーバから上述の各種プログラムがダウンロードされるようにしてもよい。
【０１０８】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【０１０９】
本発明は空調機器の管理に好適である。
【符号の説明】
【０１１０】
１、１Ｐ、１Ｑ  空調管理システム、２、２ａ、２ｂ、２ｃ、２ｄ、２Ｒ  空調機器、３  空調管理装置、４、４Ｐ、４Ｑ  監視端末、５  第１通信線、６  第２通信線、７  空調機器群、８Ｒ  通信路、９Ｒ  携帯端末、２０、２０Ｒ  制御部、２１  記憶部、２２  カメラ、２３  第１通信部、２５Ｒ  第２通信部、３０  制御部、３１  記憶部、３２  第１通信部、３３  第２通信部、４０  制御部、４１  表示部、４２  操作部、４３  通信部、３００  比較部、３１０  運転データ、３１０ａ  運転状態データ、３１０ｂ  運転時間データ、３１１  構成データ、３１２  ドレンパンデータ、３１３  スケジュールデータ、１００１  プロセッサ、１００２  メモリ、１００３  インタフェース、１００４  リアルタイムクロック、ＮＷ  ネットワーク
【図１】
2019097613.tif 000003
【図２】
2019097613.tif 000004
【図３】
2019097613.tif 000005
【図４】
2019097613.tif 000006
【図５】
2019097613.tif 000007
【図６】
2019097613.tif 000008
【図７】
2019097613.tif 000009
【図８】
2019097613.tif 000010
【図９】
2019097613.tif 000011
【図１０】
2019097613.tif 000012
【図１１】
2019097613.tif 000013
【図１２】
2019097613.tif 000014
【図１３】
2019097613.tif 000015
【図１４】
2019097613.tif 000016
【図１５】
2019097613.tif 000017
【図１６】
2019097613.tif 000018
【図１７】
2019097613.tif 000019
【図１８】
2019097613.tif 000020
【図１９】
2019097613.tif 000021
【図２０】
2019097613.tif 000022
【図２１】
2019097613.tif 000023
【図２２】
2019097613.tif 000024
【図２３】
2019097613.tif 000025
【手続補正書】
【提出日】令和2年4月3日(2020.4.3)
【手続補正１】
【補正対象書類名】明細書
【補正対象項目名】００１１
【補正方法】変更
【補正の内容】
【００１１】
上記の目的を達成するため、本発明に係る空調管理システムは、空調機器と、空調管理装置と、を備える空調管理システムであって、空調機器は、ドレンパンを撮像する撮像手段を備え、空調管理装置は、撮像手段により撮像された画像を示す撮像画像情報を通信により空調機器から取得する画像取得手段と、撮像画像情報および撮像画像情報に基づく汚れ情報を出力する汚れ情報出力手段と、を備える。
【手続補正２】
【補正対象書類名】特許請求の範囲
【補正対象項目名】全文
【補正方法】変更
【補正の内容】
【特許請求の範囲】
【請求項１】
空調機器と、空調管理装置と、を備える空調管理システムであって、
前記空調機器は、ドレンパンを撮像する撮像手段を備え、
前記空調管理装置は、前記撮像手段により撮像された画像を示す撮像画像情報を通信により前記空調機器から取得する画像取得手段と、前記撮像画像情報および前記撮像画像情報に基づく汚れ情報を出力する汚れ情報出力手段と、を備える、
空調管理システム。
【請求項２】
前記空調管理装置は、基準となる前記ドレンパンの画像を示す基準画像情報を記憶する記憶手段をさらに備え、
前記汚れ情報出力手段は、前記撮像画像情報と前記基準画像情報との比較結果に基づいて前記汚れ情報を出力する、
請求項１に記載の空調管理システム。
【請求項３】
前記汚れ情報出力手段は、前記撮像画像情報に基づく清掃要否を前記汚れ情報として出力する、
請求項１又は２に記載の空調管理システム。
【請求項４】
前記空調機器と同一の環境下で動作する第２空調機器をさらに備え、
前記汚れ情報出力手段は、前記空調機器から取得した撮像画像情報に基づく汚れ情報を前記第２空調機器の汚れ情報として出力する、
請求項１から３のいずれか１項に記載の空調管理システム。
【請求項５】
前記空調管理装置は、前記撮像画像情報と前記基準画像情報とを比較し異なる画素数が閾値以上であるか否かを判定する比較手段をさらに備え、前記閾値の設定を可変でき、
前記汚れ情報出力手段は、前記比較手段による判定結果に基づいて前記汚れ情報を出力する、
請求項２に記載の空調管理システム。
【請求項６】
前記空調管理装置は、端末に前記汚れ情報を通知する通知手段をさらに備える、
請求項１から５のいずれか１項に記載の空調管理システム。
【請求項７】
前記ドレンパンの撮像スケジュールの設定変更操作が可能な監視端末をさらに備える、
請求項１から６のいずれか１項に記載の空調管理システム。
【請求項８】
ドレンパンを撮像する撮像手段と、
前記撮像手段により撮像された画像および前記画像に基づく汚れ情報を出力する汚れ情報出力手段と、
を備える空調機器。
【請求項９】
空調機器内のドレンパンを撮像した画像を示す撮像画像情報を取得する画像取得手段と、
前記撮像画像情報および前記撮像画像情報に基づく汚れ情報を出力する汚れ情報出力手段と、
を備える空調管理装置。
【請求項１０】
空調機器内のドレンパンを撮像する撮像ステップと、
前記撮像ステップで撮像された画像および前記画像に基づく汚れ情報を出力する汚れ情報出力ステップと、
を備える空調管理方法。
【請求項１１】
コンピュータを、
ドレンパンを撮像する撮像手段、
前記撮像手段により撮像された画像および前記画像に基づく汚れ情報を出力する汚れ情報出力手段、
として機能させるプログラム。
【請求項１２】
コンピュータを、
空調機器が備えるドレンパンを撮像した画像を示す撮像画像情報を取得する画像取得手段、
前記撮像画像情報および前記撮像画像情報に基づく汚れ情報を出力する汚れ情報出力手段、
として機能させるプログラム。
【国際調査報告】
2019097613.tif 000026
2019097613.tif 000027